(57)【要約】【課題】ダブルラッセル編みによって形成された履物の中敷にさらなる機能を付与する。【解決手段】履物の中敷であって、シート状体１１と、このシート状体１１よりも硬質の粒状体１２とを有する。粒状体１２は、シート状体１１に形成された穴部または凹部１６に収容されて保持されている。【選択図】図１
2020162785.tif 000002
【特許請求の範囲】
【請求項１】
シート状体と、このシート状体よりも硬質の粒状体とを有し、前記粒状体は、前記シート状体に形成された穴部または凹部に収容されて保持されていることを特徴とする履物の中敷。
【請求項２】
シート状体は、表地と、裏地と、これら表地の構成糸条と裏地の構成糸条とをつなぐ連結糸とを有して、多角形状のメッシュ状組織とされたダブルラッセル編地にて構成され、
粒状体は、前記ダブルラッセル編地を構成する表地の構成糸条と裏地の構成糸条と連結糸とにより形成される多角柱状の空間に収容されて、前記表地の構成糸条と裏地の構成糸条と連結糸との少なくともいずれかによって保持されていることを特徴とする請求項１記載の履物の中敷。
【請求項３】
表地は履物の内部に露出され、裏地は履物の内表面に接触され、前記裏地の構成糸条に滑り止め膜が形成されていることを特徴とする請求項２記載の履物の中敷。
【請求項４】
シート状体は樹脂成型体にて構成されていることを特徴とする請求項１記載の履物の中敷。
【発明の詳細な説明】
【技術分野】
【０００１】
本発明は靴などの履物の内部に敷いて用いる、履物の中敷に関する。
【背景技術】
【０００２】
履物の中敷として、特許文献１に記載された、ダブルラッセル編みによってメッシュ組織と地組織とを連結糸で連結したものが知られている。履物の中敷の他の例として、上部ハニカム編目層と下部ハニカム編目層と連結糸層とをダブルラッセル編みによって構成したものが、特許文献２に記載されている。
【０００３】
このようなダブルラッセル編みによって形成された履物の中敷は、通気性やクッション性に優れるため、中敷として良好な性能を発揮することができる。
【先行技術文献】
【特許文献】
【０００４】
【特許文献１】実開平３−１１８０４号公報
【特許文献２】実用新案登録第３０８０９２９号公報
【発明の概要】
【発明が解決しようとする課題】
【０００５】
本発明は、ダブルラッセル編みによって形成された履物の中敷にさらなる機能を付与することを目的とする。
【課題を解決するための手段】
【０００６】
この目的を達成するため、本発明の履物の中敷は、シート状体と、このシート状体よりも硬質の粒状体とを有し、前記粒状体は、前記シート状体に形成された穴部または凹部に収容されて保持されていることを特徴とする。
【０００７】
本発明によれば、上記の履物の中敷において、シート状体は、表地と、裏地と、これら表地の構成糸条と裏地の構成糸条とをつなぐ連結糸とを有して、多角形状のメッシュ状組織とされたダブルラッセル編地にて構成され、粒状体は、前記ダブルラッセル編地を構成する表地の構成糸条と裏地の構成糸条と連結糸とにより形成される多角柱状の空間に収容されて、前記表地の構成糸条と裏地の構成糸条と連結糸との少なくともいずれかによって保持されていることが好適である。
【０００８】
本発明の履物の中敷によると、表地は履物の内部に露出され、裏地は履物の内表面に接触され、前記裏地の構成糸条に滑り止め膜が形成されていることが好適である。
【０００９】
本発明の履物の中敷によると、シート状体は、上述のダブルラッセル編地に代えて、樹脂成型体にて構成されたものとすることもできる。
【発明の効果】
【００１０】
本発明によると、シート状体が履物の中敷の本体として機能するが、このシート状体に形成された孔部または凹部により硬質の粒状体を保持しているため、この硬質の粒状体によって、履物の着用者の足の裏へ適度な刺激を与えることができる。すなわちいわゆる足裏マッサージを行うことができる。
【００１１】
また本発明によると多角形状のメッシュ状組織とされたダブルラッセル編地にてシート状体を好適に構成することができ、このシート状体では、メッシュ状組織の多角形状に対応した多角柱状の空間に硬質の粒状体を良好に保持することができる。
【図面の簡単な説明】
【００１２】
【図１】本発明の実施の形態の履物の中敷の平面図である。
【図２】図１におけるシート状体の拡大立体図である。
【図３】図１の要部の拡大図である。
【図４】粒状体の収用状態を表す拡大立体図である。
【図５】図１の履物の中敷の要部の裏面図である。
【発明を実施するための形態】
【００１３】
図１に示す履物の中敷は、シート状体１１と、このシート状体１１よりも硬質の複数または単数の粒状体１２とによって構成されている。シート状体１１は、履物の中敷としての機能を有するものであるうえに、その表面から、穴部または凹部としての空間１６を有し、この穴部または凹部（空間１６）に粒状体１２を収容して保持できるものであればよい。そのようなシート状体１１としては、後述のダブルラッセル編地にて構成されたものや、樹脂成型体にて構成されたものなどを、好適に用いることができる。
【００１４】
まず、ダブルラッセル編地にて構成されたシート状体１１について詳しく説明する。図２に示すように、ダブルラッセル編地により構成されたシート状体１１は、表地１３と、裏地１４と、連結糸１５とを有する。表地１３は、メッシュ構造の編物布帛であることが必要である。裏地１４は、図示のように表地と同様のメッシュ構造の編物布帛であることが好適である。あるいは、裏地１４は、メッシュ構造であることに代えて、地組織すなわちメッシュ構造ではない一般的な目の詰まった編地にて構成することもできる。連結糸１５は、表地１３の構成糸条と、裏地１４の構成糸条とをつなぐものである。
【００１５】
図示の表地１３と裏地１４とのメッシュ構造について説明する。このメッシュ構造は、多角形状のメッシュ構造であり、図示の例ではメッシュの形状が六角形である。このほかにも四角形のメッシュ構造も容易に実現することができ、その場合のメッシュの形状は、図示を省略するが菱形となる。
【００１６】
本発明において、表地１３と裏地１４とのメッシュ構造は、多角形の一辺が２〜６０コースの編目により構成されたものである。一辺を構成する編目の個数をこの範囲とするのは、主としてメッシュの立体形状の安定性の観点による。
【００１７】
メッシュ組織にて構成された表地１３の構成糸条と裏地１４の構成糸条とは、連結糸１５によって繋がれている。図示のように、連結糸１５は、ダブルラッセル編地の厚み方向に配列され、表地１３の構成糸条と裏地１４の構成糸条との間に編み構造によって多数本の連結糸１５が配置されている。この連結糸１５は、履物の中敷の形態安定性の観点から、１００デシテックス以上のモノフィラメント糸によって構成されていることが好ましい。
【００１８】
シート状体１１は、上記のように構成されることで、ダブルラッセル編地を構成する表地１３の構成糸条と裏地１４の構成糸条と連結糸１５とによって、両端が開口した六角柱状の空間１６を面方向に複数有した構成となっている。そして、ダブルラッセル編地であるために、六角柱状の空間１６における表地１３および裏地１４での六角形状の開口部１７の内寸を、同空間における連結糸１５が存在する中間部分１８の内寸よりも小寸とすることができる。
【００１９】
粒状体１２は、空間１６に収容されて保持されている。すなわち、粒状体１２は例えば図３および図４に示すような球体によって構成されており、その直径が開口部１７の内寸よりも大きくかつ中間部分１８の内寸以下に形成されている。このため、粒状体１２は、空間１６特にその中間部分１８に収容することができるとともに、収容した後は、開口部１７を構成する六角形状の表地１３の構成糸条と裏地１４の構成糸条とによって保持されることで、空間１６から離脱することが防止される。
【００２０】
このとき、使用者が履物に足を入れる前の自然な状態のシート状体１１において、図４に示すように、粒状体１２の先端の部分が、空間１６からシート状体１１よりも外側の部分に向けてわずかに突出するように構成されていることが好適である。つまり、粒状体１２の直径が、使用者が履物に足を入れる前の自然な状態のシート状体１１の厚みよりも大きいことが好適である。これによって、粒状体１２の先端の突出部により使用者の足裏を確実に刺激することができる。あるいは、粒状体１２の直径がシート状体１１の厚みと同じである場合や、粒状体１２の直径がシート状体１１の厚みよりも小さい場合であっても、使用者が履物に足を入れることでシート状体１１が弾性的に圧縮されたときに、粒状体１２の先端の部分がシート状体１１よりも外側の部分に向けてわずかに突出するなどにより、使用者の足裏への刺激を実現することができれば、それで差し支えない。
【００２１】
なお、シート状体１１すなわち表地１３と裏地１４と連結糸１５とは、上述のように履物の中敷に適した弾性を有しており、このため粒状体１２は、糸条にて形成された開口部１７を弾性的に押し広げて中間部分１８に入り込むことが可能である。また中間部分１８に収容されている粒状体１２をシート状体１１の表面よりも外方に向けて押圧することで、粒状体１２により同様に開口部１７を弾性的に押し広げてこの粒状体１２をシート状体１１から外部へ取り出すこともできる。したがって、着用時等においては、粒状体１２は空間１６に良好に収容保持され、必要に応じて、開口部１７を押し広げて、粒状体１２をシート状物から取出すことができる。これにより、着用者が、その日の体調や気分によって、任意に、刺激したい箇所に粒状体１２を収容して着用することができる。
【００２２】
シート状体１１すなわちダブルラッセル編地を構成する糸条は、シート状体１１が履物の中敷としての好適な弾性を有することができる適宜の材料にて構成することができる。そのような材料としては、ポリエチレンテレフタレートのようなポリエステルや、ポリアミドや、その他の熱可塑性樹脂を挙げることができる。
【００２３】
これに対し粒状体１２は、シート状体１１よりも硬質となるように、樹脂や金属などによって構成することができる。具体的な金属材料としては鉄を挙げることができ、前述のようなマッサージ効果を得るためには磁性体であることが好ましい。具体的な樹脂材料としては、ポリエチレンテレフタレートのようなポリエステルや、ポリアミドや、ポリプロピレンのようなポリオレフィンや、ポリアセタールなどを挙げることができる。そのほかにも、たとえばシリコンを用いることもできる。なお、粒状体１２は、シート状体１１よりも硬質であることで履物の着用者の足裏を刺激してマッサージ効果を発揮できれば足り、その具体的な硬度は、上記の条件の範囲内において任意である。
【００２４】
具体的な寸法について説明すると、履物の中敷の本体部としてのシート状体１１は、厚み２〜７ｍｍ程度とすることができ、厚み３〜５ｍｍ程度がより好ましい。六角形の開口部１７の穴径は、２〜８ｍｍ程度とすることができ、４〜８ｍｍ程度がより好ましい。球状の粒状体１２の直径は、履物の着用者の足裏マッサージに適した適宜の寸法とすることができ、なかでも２〜８ｍｍ程度であることが好適であり、４〜８ｍｍ程度であることがより好適である。粒状体１２の形状は、上記した球状のほかに、足裏のマッサージに適した回転楕円体やその他の適宜のものとすることができる。
【００２５】
図１は、履物の中敷の本体部としてのシート状体１１に複数の粒状体１２を保持させた例を示す。図示のようにシート状体１１はダブルラッセル編地によって構成されているために多数の六角柱状の空間１６を有し、そのうちの適当数の任意の空間１６にそれぞれ粒状体１２を収容させて保持させることができる。これによって履物の着用者の足裏における任意の箇所をマッサージすなわち押圧刺激することができる。
【００２６】
シート状体１１は、履物に対し、表地１３が履物の内部に露出され、かつ裏地１４が履物の内表面に接触された状態で装着される。このとき、図５に示すように、裏地１４の構成糸条に滑り止め膜１９が形成されていることで、シート状体１１を、履物の内部における定位置に保持して、そのずれを防止することができる。滑り止め膜１９は、裏地１４にたとえば発泡合成樹脂を塗布して被膜化することにより形成することができる。たとえば、発泡アクリル樹脂などを好適に用いることができる。
【００２７】
上記においては、シート状体１１として、表地１３と裏地１４との両方がメッシュ構造の編物布帛である場合について詳しく説明したが、上述のように、裏地１４を、メッシュ構造であることに代えて、地組織すなわちメッシュ構造ではない一般的な目の詰まった編地にて構成することもできる。この場合は、空間１６は、表地１３においてのみ開口し、裏地１４においては塞がった構造となる。
【００２８】
また、上記においては、裏地１４が開口した場合と閉塞した場合とを含めで、シート状体１１がダブルラッセル編地にて構成されたものについて詳しく説明した。しかし、シート状体１１は、それ以外の構造を有するものであっても差し支えない。たとえば、上述のようにシート状体１１を樹脂成型体にて構成することもできる。その場合に好適に使用することができる樹脂としては、ウレタン、アクリル、シリコンなどを挙げることができる。
【００２９】
そしてシート状体１１が樹脂成型体である場合には、粒状体１２を収容して保持するための空間１６は、成形体に形成された貫通孔やくぼみによって構成することができる。その場合において、空間１６は、粒状体１２を確実に収容して保持するために、たとえば縦断面形状が、中央部が両端部に比べて膨らんだ形状、たとえば樽形などに形成されていることが好ましい。この場合も、樹脂成型体は履物の中敷きに適した弾性を有するために、空間１６への粒状体１２の出し入れは、シート状体１１における空間１６を形成した部分の縁部を弾性変形により拡径させることで、行うことができる。
【図１】
2020162785.tif 000003
【図２】
2020162785.tif 000004
【図３】
2020162785.tif 000005
【図４】
2020162785.tif 000006
【図５】
2020162785.tif 000007